(57)【特許請求の範囲】
【請求項１】
衛星放送電波を受信する受信手段で受信した信号を周波数変換して出力端子から出力する受信用コンバータにおいて、
上記受信用コンバータに対して、上記受信手段と異なる受信手段から供給された受信信号を入力するための１、または２以上の入力端子と、
上記入力端子から入力された信号と上記周波数変換された信号を周波数多重する混合手段とを備え、
上記受信用コンバータの出力端子から、上記混合手段を介して少なくとも２系統の受信信号が同時に出力されるように構成するとともに、
上記受信手段は、
偏波面の異なる同一周波数帯域の２つのビームを受信する１のアンテナ装置と、
前記偏波面の異なる２つのビームに対する受信信号を各々増幅する第１の増幅器および第２の増幅器と、
前記第１の増幅器からの信号または前記第２の増幅器からの信号のいずれかを上記周波数変換されるための信号として選択するアナログスイッチと、を具備する、ことを特徴とする受信用コンバータ。
【請求項２】
上記入力端子から供給される信号がＵＨＦ放送、及び／またはＶＨＦ放送帯の受信信号であることを特徴とする請求項１に記載の受信用コンバータ。
【請求項３】
上記入力端子から供給される信号が上記受信手段と異なる衛星放送アンテナからの受信信号とされていることを特徴とする請求項１に記載の受信用コンバータ。
【発明の詳細な説明】
【０００１】
【発明の属する技術分野】
本発明は放送等を受信する受信用のコンバータに関わり、特に受信した衛星放送電波の周波数帯域を変換して、他の周波数帯域に変換する周波数変換器を備えている受信用コンバータ、及び受信アンテナに関するものである。
【０００２】
【従来の技術】
近年の各種放送電波は、その送信周波数と送信システムが多様化されており、そのために各種の放送電波を受信する装置では、多くの放送電波を視聴するために多様なアンテナと、受信信号を所定の周波数帯域に変換するコンバータが必要とされている。
【０００３】
例えば、従来から放送されている地上放送に対して、近年は地表から３６，０００Ｋｍの上空に打ち上げられている種種の放送衛星からの電波を一般の視聴者が受信する衛星放送が普及しており、そのために、これらの各衛星から送信されている電波を専用のアンテナで受信し、家屋内のモニター装置に引き込むことが必要になる。
【０００４】
図６はこのような種種の放送サービスの中でＢＳ放送と地上波のＶＨＦ、ＵＨＦを受信する場合の様子を示したもので、４１は衛星放送を受信するためのパラボリックアンテナ、４２は受信した電波を所定の周波数帯域の信号に変換するＢＳコンバータ、４３はＢＳコンバータの出力を家屋内に取り込むケーブル（同軸ケーブル）である。
４４は地上波放送としてＵＨＦチャンネルを受信するためのケーブル、４５は同じくＶＨＦ帯のテレビ放送を受信して引き込むためのケーブルである。
【０００５】
従来からケーブル４４，４５は通常ＵＶ混合器４６を介して１本のケーブル４７で家屋内に取り込むことも行われていたが、衛星電波を受信したコンバータ４２の出力は専用のケーブル４３によって直接、家屋内に取り込まれ、ＢＳチューナ４８、またはテレビ受像機４９に内蔵されているＢＳチューナで選局され、テレビ画面信号として復調される。
【０００６】
【発明が解決しようとする課題】
しかしながら、家屋内にケーブル４３を新たに引き込むために、別に引き込み工事が必要になり、設置費用が高騰するという問題が生じる。
そこで、例えばすでに引き込みが行われている側のケーブルに対して混合器５０を配置して、点線で示すように衛星放送のケーブル信号と、地上波放送のケーブル信号をＢＳ／ＵＶ混合器５０で多重化して家屋内に引き込む方法がとられているが、この場合は新たにＢＳ／ＵＶ分波器５１を設置する必要がある。
【０００７】
また、この混合器５０は一般的に家屋の外部に露出して配置されるため、雨水対策を講じる必要があり、さらに結合損失を考えると、混合器５０の前段にブースタを設置する必要があり、結果的に高い工事費の支出となるいう問題があった。
また、すでにＢＳ放送を受信している場合に、新たにＣＳ放送のアンテナ及び受信ケーブルを設置する際も同様な問題が生じる。
【０００８】
【課題を解決するための手段】
本発明は、かかる問題点を解決するため、
衛星放送電波を受信する受信手段と、該受信手段で受信した信号を周波数変換して出力端子から出力する放送受信用コンバータにおいて、
上記放送受信コンバータに対して、上記受信手段と異なるアンテナから供給される受信信号を入力するための１または２以上の入力端子と、
上記入力端子から入力された信号と上記周波数変換された信号を周波数多重する混合手段とを備え、
上記出力端子から少なくとも２系統の受信信号が出力されるように構成したことを特徴とする放送受信コンバータを提供するものである。
【０００９】
また、上記入力端子から供給される信号はＵＨＦ放送、及び／またはＶＨＦ放送帯の受信信号であってもよいが、上記受信手段と異なる衛星放送アンテナからの受信信号とすることもできるし、これらの両方を２個の入力端子から入力させることもできる。
【００１０】
本発明の放送受信用コンバータは、通常の周波数変換された信号を出力する出力端子と、外部から家屋内に引き込むための他の信号を入力するための１，また２以上の入力端子を備えているので、多数の放送サービスを受けるような受信装置の場合でも、複数の放送メディヤを家屋内に取り込む工事を容易にすることができるようになる。
【００１１】
【発明の実施の形態】
図１はすでに地上放送としてＶＨＦ放送、およびＵＨＦ放送の受信信号が家屋内にケーブルによって引き込まれている場合に、ＢＳ放送受信用のアンテナ１を設置する際の実施の形態を示す。
この図において１はＢＳ放送受信用のアンテナ、２は受信した電波を所定の周波数に周波数変換して出力する本実施例の受信用コンバータである。
この受信コンバータ２は、通常は低雑音周波数変換器（ＬＮＢコンバータ）と呼ばれているが、後で説明するように防水型の同軸の出力端子Ｔoutと、防水型の入力端子Ｔinを備え、出力端子ＴoutからはＢＳ放送の周波数を周波数変換した出力周波数信号と、入力端子Ｔinから入力された信号を周波数多重した状態で出力するようにしている。
【００１２】
すなわち、この実施例の場合は出力端子Ｔoutには、例えばパラボリックアンテナ１によって受信したＢＳ放送電波を所定の周波数帯域にダウンコンバートした信号が出力され、入力端子ＴinにはＶＨＦ放送と、ＵＨＦ放送の受信信号がケーブル３，４から混合器５を介して周波数多重した信号として供給されている。
そして、受信用コンバータ２の出力端子ＴoutからはＢＳ放送周波数のダウンコンバート信号と、地上波受信信号が同時に出力されており、１本の同軸ケーブル６を介して家屋内に取り込まれているようにしている。
【００１３】
ケーブル６によって取り込まれた受信信号は、家屋内に設けた分波器７によってＢＳ受信信号と、地上波受信信号が分離され地上波受信信号はそのままテレビ受像機９のＵ／Ｖ端子に接続される。
また、ＢＳ受信信号はＢＳチューナ８を介して放送チャンネルの選択と復調が行われ、ＡＶ信号としてテレビ受像機内に取り込まれる。
なお、このＢＳチューナ８は通常はテレビ受像機９内に内蔵されているのが普通である。
【００１４】
図２は上記した受信用コンバータ２の一つの回路例を示したもので、１１は受信電波を抽出する導波菅／同軸変換部、１２は低雑音増幅器、１３は帯域通過フイルタ（ＢＰＦ）、１４は周波数変換回路（ミキサー）、１５は局部発振器、１６は増幅器、１７は帯域選択フイルタ（ＢＰＦ）、１８は混合器を示す。
１９は同軸ケーブル６より供給されているＤＣ電源から受信用コンバータ内の各部の回路に対して駆動電圧を供給する電源部を示す。
上記したような回路はすでに多くのコンバータに適応されているものである。
【００１５】
本発明の受信コンバータでは、入力端子Ｔinが受信用コンバータの筐体１０に対して防水構造で設けられており、この入力端子Ｔinから入力された他のメディヤの受信信号が増幅器２１及び帯域通過フイルタ２２を介して混合器１８に供給されている。
従って出力端子Ｔoutからは、受信したＢＳ放送信号を周波数変換した出力周波数と、入力端子Ｔinから入力された受信信号（ＶＨＦ、およびＵＨＦ）が混合器１８によって周波数多重され出力されることになる。
なお、入力端子Ｔinは１個に限ることなく、２個、または３個設けることにより、例えばＦＭ放送用の受信信号や、短波放送等の受信信号を多重化して出力するように増設することもできる。
【００１６】
現状ではＢＳ放送電波は１１．７１〜１２．０１ＧＨｚであり、この受信周波数がローカル周波数１０．６７８ＧＨｚの局部発信周波数と混合されることによって１．０３５〜１．３３５ＧＨｚの出力周波数に変換される。したがって、混合器１８によって周波数多重されたときに、出力端子ＴoutからＶＨＦ、およびＵＨＦ受信信号とＢＳ受信号がオーラップすることはない。
【００１７】
上記実施例は受信用コンバータ２に対して入力端子Ｔinが設けられている場合を示したが、図３に示すようにＣＳ放送電波を受信するＣＳ放送用コンバータ３０に対しても同様に他のメディヤの受信信号を周波数多重して出力する入力端子Ｔinを設けることができる。
ＣＳ放送受信用としては、所定の位置に静止衛星として打ち上げられている衛星の放送電波を受信するパラボリックアンテナ３１（平面アンテナでもよい）を設置し、通常はこのアンテナ３１に付属して１〜２個のコンバータによって２〜４偏波のＣＳ放送番組を受信するようにしている。
【００１８】
そして、受信信号を周波数変換した出力周波数信号が同軸ケーブル６を介して家屋内に取り込まれる。
取り込まれた受信信号は分配器７によって図１の場合と同様にＵ／Ｖ受信信号とＣＳ受信信号が分離される。ＣＳ受信信号がセットトップボックス３２を介してＡＶ信号、またはデジタル信号としてテレビ受像機９に取り込まれ、所望の番組を視聴することができるようにしている。
【００１９】
ＣＳ衛星放送（ＪＣＳＡＴ系、ＳＣＣ系）は現状では２つの衛星からそれぞれ偏波面の異なる放送電波によってサービスを行っており、放送チャンネルを二つのコンバータによって選択的に出力する機能を有する。
例えば、放送周波数帯域は１２．２５〜１２．７５ＧＨｚであり、これを局部発信周波数１１．２で周波数変換することにより出力周波数を１．０５０〜１．５５０ＧＨｚとして出力する。
【００２０】
図４は本発明のさらに他の実施の形態を説明する模式図である。
この受信アンテナ設置は、例えばＢＳ放送受信用のアンテナ装置（１，２）に対して、ＣＳ放送受信用のアンテナ装置（３０、３１）を付加する場合を示す。この場合はＢＳ受信用コンバータ２側にＢＳ放送の出力端子Ｔoutと、入力端子Ｔinが設けられており、この入力端子Ｔinに対してＣＳ放送の出力周波数を入力し、周波数多重、あるいはスイッチングにより選択された信号を１本の同軸ケーブル６により家屋内に引き込むようにしている。
３３は、ＢＳ／ＣＳ分波器を示し、分波されたＢＳ受信信号は直接テレビ受像機９の内蔵ＢＳチューナに供給され、ＣＳ受信信号がＣＳチューナまたはセットトップボックス３２を介して所望のチャンネルの信号が選択され、または購入されて視聴されることになる。
【００２１】
この実施の形態の場合はケーブル６を介して出力端子Ｔoutから供給されているＤＣ電圧が、コンバータ２内で入力端子Ｔinに接続されるように構成し、ＣＳコンバータ３０にＤＣ電源を供給するように構成する必要がある。
また、ＢＳ放送受信信号の出力周波数と、ＣＳ放送の出力周波数がオーバラップする際は、例えばＣＳコンバータ側の局部発信周波数をシフト（１０．６７８ＧＨｚ）して、周波数多重したときに受信端末で分離可能にする必要がある。
【００２２】
また、一台のテレビ受像機、またはモニターによってＣＳ放送、およびＢＳ放送を受信する場合は、これらの放送を同時に視聴することがないので、衛星選択制御信号を受信機から送ることによって、切り替えるスイッチング方式を利用して、出力端子Ｔoutから出力されるＣＳ放送の出力信号と、ＢＳ放送の出力信号を選択的に切り替えるようにしてもよい。
【００２３】
なお、上記図４の実施例ではＣＳ放送用のコンバータ３０側にＢＳ放送の出力周波数信号を入力するための入力端子Ｔinを設け、ＣＳ放送用のコンバータ３０の出力端子Ｔoutから、ＣＳ放送とＢＳ放送の受信信号を多重化して家屋内に引き込むように構成することもできる。
【００２４】
上記各実施例においては、図２に示したように家屋内に引き込むための出力端子Ｔoutを備えている受信コンバータ２に、他のメディヤの受信信号を混合する混合器１８が設けられているが、混合器１８を省略して出力端子Ｔoutに導出する信号を衛星放送用の制御信号を利用して切り替えるように構成することもできる。
【００２５】
図５（ａ）は図２に示したコンバータにおいて、混合器１８に変えて信号を選択するアナログスイッチ３５と制御信号検出器３６を設けるようにしたものである。
【００２６】
このようなアログスイッチ３５はＣＳ放送用の受信コンバータ３０にも適応することができる。
図５（ｂ）にＣＳ放送用の受信コンバータの回路例を示す。この図に示されているようにＣＳ放送の場合は偏波面の異なる２ビームを受信しており、それぞれ初段増幅器１２ａ，１２ｂによって電磁波を増幅し図２に示した回路例と同様な信号処理を行う。
【００２７】
この図で３６は制御信号を検出する制御信号検出器を示す。
従来、受信機側から送られる制御信号は、例えば、トーン信号と電圧値によって衛星切換制御信号及び各衛星に対する偏波切換制御信号からなっている。
制御信号検出器３６では、衛星切り替え信号を検出し、ＳＷ２を制御することにより各衛星に対するコンバータを選択的に動作させる。また、同時にＣＳが選択されている場合には、偏波切り替え信号を検出し、ＳＷ１を制御することにより、所望の偏波を受信する回路を選択的に動作させるようにしている。
【００２８】
このように構成すると衛星放送の受信時に周波数変換された出力周波数に対して、入力端子Ｔinから導入されている受信信号の周波数とオーバラップするようなメディヤであっても、１本のケーブルによって家屋内に引き込むことができる受信用コンバータを構成することができる。
なお、図５（ｂ）で入力端子Ｔinに地上波の放送電波が供給されているときはスイッチＳＷ２をそのまま混合器に置き換えて周波数多重した状態で出力端子ＴoutからＣＳ１，およびＵ／Ｖ受信信号、あるいはＣＳ２およびまたはＵ／Ｖ受信号等を引き出すこともできる。
【００２９】
【発明の効果】
以上説明したように本発明の受信用コンバータは、ＬＮＢコンバータの筐体に他のメディヤの受信信号を入力する入力端子を設け、この入力端子より入力されている受信信号と、衛星放送を受信した出力信号を周波数多重して出力するようにしているので、異なるアンテナによって受信した複数の放送受信信号を１本の伝送ケーブルによって家屋内に引き込むことが可能になり、アンテナを増設したときに引き込みのための工事費用を低減することができると同時に、雨水対策も十分にとることができるという効果がある。
【図面の簡単な説明】
【図１】本発明が適応される受信用コンバータの概要を説明するための模式図である。
【図２】受信用コンバータの内部の回路例を示すブロック図である。
【図３】受信用コンバータで他のメディヤを取り込むときの模式図である。
【図４】受信用コンバータでサテライト局の放送受信信号を取り込むときの模式図である。
【図５】出力周波数をアナログスイッチによって選択する場合の説明ブロック図である。
【図６】従来の一般的行われているアンテナの受信信号の引き込みを説明する図である。
【符号の説明】
１２  初段アンプ、１３   帯域通過フイルタ（ＢＰＦ）、１４  周波数混合回路（ミキサー）、１５  局部発振器、１６  増幅器、１７  帯域選択フイルタ（ＢＰＦ）、１８  混合器、Ｔin  入力端子、Ｔout  出力端子
【図１】
0004140130.tif 000002
【図２】
0004140130.tif 000003
【図３】
0004140130.tif 000004
【図４】
0004140130.tif 000005
【図５】
0004140130.tif 000006
【図６】
0004140130.tif 000007